(57)【特許請求の範囲】
【請求項１】
身頃に左袖と右袖とが繋がっている衣料の上半身部であって、
前記身頃のうち後身頃は、左側に左抉り部を有し、右側に右抉り部を有し、かつ、これら左抉り部と右抉り部の間は着用時に左右の肩甲骨を左右方向の内方側へ引っ張る引張力を有し、
前記左袖は背面側に、前記左抉り部に縫合された左縫合部分を有し、
前記右袖は背面側に、前記右抉り部に縫合された右縫合部分を有し、
前記左抉り部の上端から、当該上端の真下に位置する左抉り部の点までの間においては、前記左縫合部分を前記左抉り部から分離させた時に、前記左縫合部分は前記左抉り部の対応する縫合箇所に達せず前記左抉り部よりも左に位置し、
前記右抉り部の上端から、当該上端の真下に位置する右抉り部の点までの間においては、前記右縫合部分を前記右抉り部から分離させた時に、前記右縫合部分は前記右抉り部の対応する縫合箇所に達せず前記右抉り部よりも右に位置する、
ことを特徴とする衣料の上半身部。
【請求項２】
前記左袖のうち少なくとも背面は、前記左袖の長さ方向において２０％伸長時に伸長力が４５ｃＮ以上となる高伸長力領域を有し、
前記右袖のうち少なくとも背面は、前記右袖の長さ方向において２０％伸長時に伸長力が４５ｃＮ以上となる高伸長力領域を有する 
ことを特徴とする請求項１に記載の衣料の上半身部。
【請求項３】
前記左袖の高伸長力領域は前記左袖の背面から正面までに亘っており、
前記右袖の高伸長力領域は前記右袖の背面から正面までに亘っている
ことを特徴とする請求項２に記載の衣料の上半身部。
【請求項４】
前記左袖の正面は、前記左袖の長さ方向に４５ｃＮ以上の伸長力をかけても伸張率が２０％未満である非伸長領域を有し、
前記右袖の正面は、前記右袖の長さ方向に４５ｃＮ以上の伸長力をかけても伸張率が２０％未満である非伸長領域を有する
ことを特徴とする請求項１または請求項２に記載の衣料の上半身部。
【請求項５】
前記左袖のうち少なくとも背面は、前記左袖の長さ方向に４５ｃＮ以上の伸長力をかけても伸張率が２０％未満である非伸長領域を有し、
前記右袖のうち少なくとも背面は、前記右袖の長さ方向に４５ｃＮ以上の伸長力をかけても伸張率が２０％未満である非伸長領域を有する
ことを特徴とする請求項１に記載の衣料の上半身部。
【請求項６】
前記左袖の非伸長領域は前記左袖の背面から正面までに亘っており、
前記右袖の非伸長領域は前記右袖の背面から正面までに亘っている
ことを特徴とする請求項５に記載の衣料の上半身部。
【請求項７】
前記左袖の正面は、前記左袖の長さ方向において２０％伸長時に伸長力が４５ｃＮ以上である高伸長力領域を有し、
前記右袖の正面は、前記右袖の長さ方向において２０％伸長時に伸長力が４５ｃＮ以上である高伸長力領域を有する
ことを特徴とする請求項１または請求項５に記載の衣料の上半身部。
【請求項８】
前記身頃の左脇部から前記左抉り部の最深部までの左右方向における距離が、前記身頃の右脇部から前記右抉り部の最深部までの左右方向における距離に等しく、この距離の０．５〜６倍が、前記左抉り部の最深部から前記右抉り部の最深部までの左右方向における距離に等しいことを特徴とする請求項１から請求項７までのいずれかに記載の衣料の上半身部。
【請求項９】
前記左袖のうち少なくとも着用者の左脇の下に対向する部分と、前記右袖のうち少なくとも着用者の右脇の下に対向する部分とは、柔軟性の高い生地を備えていることを特徴とする請求項１から請求項８までのいずれかに記載の衣料の上半身部。
【請求項１０】
前記身頃のうち前身頃は、前記後身頃と同じ生地で構成されていることを特徴とする請求項１から請求項９までのいずれかに記載の衣料の上半身部。
【請求項１１】
前記身頃のうち前身頃は、前記後身頃と同じ生地で構成されており、この生地の横地は、前記前身頃では上下方向であり、前記後身頃では左右方向であることを特徴とする請求項１から請求項９までのいずれかに記載の衣料の上半身部。
【請求項１２】
前記後身頃は、前記身頃のうち前身頃と同じ生地に樹脂が塗布された部分を含むことにより、左右方向の引張力が前記前身頃よりも強いことを特徴とする請求項１から請求項９までのいずれかに記載の衣料の上半身部。
【請求項１３】
前記後身頃は、前記身頃のうち前身頃よりも生地の引張力が強いことを特徴とする請求項１から請求項９までのいずれかに記載の衣料の上半身部。
【請求項１４】
前記後身頃は複数枚の生地を使用して、前記身頃のうち前身頃よりも引張力が強いことを特徴とする請求項１から請求項９までのいずれかに記載の衣料の上半身部。
【発明の詳細な説明】
【技術分野】
【０００１】
本発明は、衣料の上半身部に関する。
【背景技術】
【０００２】
着用者の上半身の少なくとも一部を覆うことができる衣類の上半身部が知られている（例えば、特許文献１参照）。
【先行技術文献】
【特許文献】
【０００３】
【特許文献１】特開２０１４−１９６５８７号公報
【発明の概要】
【発明が解決しようとする課題】
【０００４】
人はスマートフォン等の携帯機器を操作するとき、携帯機器をもつ腕が正面中央側へ回るように、肩が所定の姿勢よりも前方へ出てしまいやすい。「所定の姿勢」とは一般的に知られている正しい姿勢であり、具体的には例えば、平坦面に起立している人を真横から見た場合、首のつけ根、肩、ひじ、くるぶしが略一直線上に位置する姿勢である。この姿勢よりも肩が前方へ出る姿勢、いわゆる巻き肩や猫背は、頻繁にまたは連続して長時間にわたって保持された場合、肩こりまたは姿勢の悪化等の問題をもたらし得る。【０００５】
本発明は、このような事情に鑑みてなされたものであり、腕が正面中央側へ回るように肩が前方に出る姿勢を着用者にとらせづらくすることができる衣料の上半身部の提供を目的とする。
【課題を解決するための手段】
【０００６】
本発明の１つの観点による衣料の上半身部は、身頃に左袖と右袖とが繋がっている。身頃のうち後身頃は、左側に左抉り部を有し、右側に右抉り部を有し、かつ、これら左抉り部と右抉り部の間は着用時に左右の肩甲骨を左右方向の内方側へ引っ張る引張力を有する。左袖は背面側に、左抉り部に縫合された左縫合部分を有する。右袖は背面側に、右抉り部に縫合された右縫合部分を有する。左抉り部の上端から、その上端の真下に位置する左抉り部の点までの間においては、前記左縫合部分を前記左抉り部から分離させた時に、前記左縫合部分は前記左抉り部の対応する縫合箇所に達せず前記左抉り部よりも左に位置する（但し、前記真下に位置する左抉り部の点は、後身頃に形成した左抉り部の点の場合のほか、左抉り部の上端の左右方向外方への張り出し状況や前身頃と後身頃の縫合位置の状況によって前身頃に形成した左抉り部の点となる場合もある。）。右抉り部の上端から、その上端の真下に位置する右抉り部の点までの間においては、前記右縫合部分を前記右抉り部から分離させた時に、前記右縫合部分は前記右抉り部の対応する縫合箇所に達せず前記右抉り部よりも右に位置する（但し、前記真下に位置する右抉り部の点は、後身頃に形成した右抉り部の点の場合のほか、右抉り部の上端の左右方向外方への張り出し状況や前身頃と後身頃の縫合位置の状況によって前身頃に形成した右抉り部の点となる場合もある。）。  このように構成することで、この衣料の立体形状では両袖の延びる方向が標準的な方向よりも後方へ逸れる。したがって、標準的な体形の人でもこれらの両袖に両腕を通すだけで、後身頃の左抉り部と右抉り部の間に備える強い引張力で両肩が後方へ引かれる。すなわち、後身頃の左抉り部と右抉り部の間に備える引張力で着用者の左右の肩甲骨を内方側へ引き寄せ、着用者の左右の上腕上部と肩とに対して後方への高い負荷をかける。その結果、この衣料は、左右の上腕上部が正面中央側へ回るように左右の肩が前方に出る姿勢を着用者にとらせづらくし、巻き肩や猫背といった姿勢の悪化を着用者に確実に回避させることができる。また、既に巻き肩や猫背になった人に対しても優れた矯正効果を発揮することができる。
なお、身頃から左袖の縫合を解くことで、前記左縫合部分を前記左抉り部から分離させた時に、前記左縫合部分が前記左抉り部の対応する縫合箇所に達せず前記左抉り部よりも左に位置する上側の開始点としては、左抉り部の上端からその真下の１０ｃｍの範囲における箇所より開始させるようにしてもよい。また、身頃から右袖の縫合を解くことで、前記右縫合部分を前記右抉り部から分離させた時に、前記右縫合部分が前記右抉り部の対応する縫合箇所に達せず前記右抉り部よりも右に位置する上側の開始点としては、右抉り部の上端からその真下の１０ｃｍの範囲における箇所より開始させるようにしてもよい。逆に、前記左縫合部分を前記左抉り部から分離させた時に、前記左縫合部分が前記左抉り部の対応する縫合箇所に達せず前記左抉り部よりも左に位置する下側の終了点としては、左抉り部の最深部から真下に２ｃｍ〜５ｃｍ又は２ｃｍ〜１０ｃｍの箇所より終了させるようにしてもよい。また、前記右縫合部分を前記右抉り部から分離させた時に、前記右縫合部分が前記右抉り部の対応する縫合箇所に達せず前記右抉り部よりも右に位置する下側の終了点としては、右抉り部の最深部から真下に２ｃｍ〜５ｃｍ又は２ｃｍ〜１０ｃｍの箇所より終了させるようにしてもよい。
さらに、後身頃の左抉り部と右抉り部の間に備える強い引張力は、左右の抉り部の上端から下端（脇）までの領域で必ず存在させる必要があるというものではなく、最深部が左右の抉り部の中間にある場合には最深部から真上に３ｃｍ以上でかつ最深部から真下に３ｃｍ以上となる領域（範囲）で、最深部が左右の抉り部の上端にある場合にはその上端から真下に６ｃｍ以上となる領域（範囲）で、最深部が左右の抉り部の下端にある場合にはその下端から真上に６ｃｍ以上となる領域（範囲）で存在させることが好ましい。【０００７】
左袖のうち少なくとも背面は、左袖の長さ方向において２０％伸長時に伸長力が４５ｃＮ以上となる高伸長力領域を有してもよい。右袖のうち少なくとも背面は、右袖の長さ方向において２０％伸長時に伸長力が４５ｃＮ以上となる高伸長力領域を有してもよい。左袖の高伸長力領域は左袖の背面から正面までに亘っていてもよく、右袖の高伸長力領域は右袖の背面から正面までに亘っていてもよい。左袖の正面は、左袖の長さ方向に４５ｃＮ以上の伸長力をかけても伸張率が２０％未満である非伸長領域を有してもよく、右袖の正面は、右袖の長さ方向に４５ｃＮ以上の伸長力をかけても伸張率が２０％未満である非伸長領域を有してもよい。これらの構成によれば、着用者に対して後身頃が加える引張力が両袖の背面の伸びによって大きくは減殺されず、着用者の左右の肩甲骨、更には上腕上部および肩を着用者の後方へ、更には背面中央側へと移動させる力がより強く働くことが新たに知見された。【０００８】
左袖のうち少なくとも背面は、左袖の長さ方向に４５ｃＮ以上の伸長力をかけても伸張率が２０％未満である非伸長領域を有してもよく、右袖のうち少なくとも背面は、右袖の長さ方向に４５ｃＮ以上の伸長力をかけても伸張率が２０％未満である非伸長領域を有してもよい。左袖の非伸長領域は左連繋部の背面から正面までに亘ってもよく、右袖の非伸長領域は右連繋部の背面から正面までに亘ってもよい。左袖の正面は、左袖の長さ方向において２０％伸長時に伸長力が４５ｃＮ以上である高伸長力領域を有してもよい。右袖の正面は、右袖の長さ方向において２０％伸長時に伸長力が４５ｃＮ以上である高伸長力領域を有してもよい。いずれの構成でも、着用者の左右の肩甲骨、上腕上部、および肩が後身頃に更に強く引き寄せられ、着用者の後方へ、かつ背面中央側へと移動させられる。こうして、着用者の姿勢に対する矯正効果を更に高めることができる。【０００９】
身頃の左脇部から左抉り部の最深部までの左右方向における距離が身頃の右脇部から右抉り部の最深部までの左右方向における距離に等しくてもよく、この距離の０．５〜６倍が、左抉り部の最深部から右抉り部の最深部までの左右方向における距離に等しくてもよい。この構成によれば、この衣料の上半身部のうち着用者の肩口を覆う部分が着用者の背面中央側へよれる事態を防止することができる。したがって、この事態に起因して、衣料の上半身部にしわが出たり、この衣料が着用者の運動を邪魔したりすることが回避される。【００１０】
左袖のうち少なくとも着用者の左脇の下に対向する部分と、右袖のうち少なくとも着用者の右脇の下に対向する部分とは、柔軟性の高い生地を備えていてもよい。この構成によれば、後身頃の引っ張りにより左右の連繋部の背面側が着用者の後方へ、および背面中央側へ移動しても、着用者に脇の下の痛みを感じさせる事態を防止することができる。【００１１】
後身頃は右抉り部と左抉り部によって前身頃（正面）の左右方向の幅よりも幅小に形成されるため、前身頃と後身頃とが同じ生地で構成されていても、後身頃は着用時に左右方向の内方側へ引っ張る引張力を有する。また、後身頃は前身頃と同じ生地で構成し、その生地の横地を、前身頃では上下方向とし、後身頃では左右方向にしてもよい。さらに、後身頃は、前身頃と同じ生地に樹脂が塗布された部分を含むことにより、左右方向の引張力が前身頃よりも強くてもよい。さらにまた、後身頃は前身頃よりも生地の引張力が強いものを使用してもよいし、後身頃は複数枚の生地を使用して前身頃よりも引張力を強くしてもよい。いずれによっても、後身頃に必要な強さの引張力を容易に生じさせることができる。
【発明の効果】
【００１２】
本発明によれば、腕が正面中央側へ回るように肩が前方に出る姿勢を着用者にとらせづらくすることができる衣料の上半身部を提供することができる。
【図面の簡単な説明】
【００１３】
【図１】本発明の第１実施形態による衣料の上半身部の立体形状の正面図である。
【図２】図１の示す立体形状の背面図である。
【図３】図１の示す立体形状の平面図である。
【図４】図１の示す立体形状の側面図である。
【図５】図１の示す衣料の着用状態を模式的に示す平面図である。
【図６】本発明の別の実施形態による衣料の上半身部の立体形状の背面図である。
【図７】本発明の第２実施形態による衣料の上半身部の立体形状の正面図である。
【図８】図７の示す立体形状の背面図である。
【図９】図８の一部拡大図である。
【図１０】図７の示す衣料の一例について、後身頃の左側と左袖との縫合が解かれた状態を示す概略図である。
【図１１】図７の示す衣料の一例について、後身頃の右側と右袖との縫合が解かれた状態を示す概略図である。
【図１２】図７の示す衣料の第１変形例について、後身頃の左側と左袖との縫合が解かれた状態を示す概略図である。
【図１３】図７の示す衣料の第２変形例について、後身頃の左側と左袖との縫合が解かれた状態を示す概略図である。
【図１４】図７の示す衣料の第３変形例について、後身頃の左側と左袖との縫合が解かれた状態を示す概略図である。
【図１５】本発明の第３実施形態による衣料の上半身部の立体形状の背面図である。
【発明を実施するための形態】
【００１４】
以下、本発明の実施形態について図面を参照しつつ説明する。
【００１５】
《第１実施形態》
図１に、本発明の第１実施形態による衣料の上半身部１の立体形状の正面図を示す。図２にこの立体形状の背面図を示す。図３にこの立体形状の平面図を示す。図４にこの立体形状の側面図を示す。衣料の「立体形状」とは、その衣料のいずれの部分をも伸長させることなく、かつ折り曲げることもなく、膨らませた状態における衣料の３次元的な形状を意味する。立体形状は一般に、標準的な人体の形状に合わせて、その形状を包み込むように設計される。
【００１６】
図１、図２、図３、図４に示されるように、衣料の上半身部１は、人体の上半身を包み込むことの可能な立体形状に構成されている。衣料の上半身部１としては、肌着として着用されるもの（インナーウェア）と、中衣もしくは上着として着用されるもの（アウターウェア）とがある。
【００１７】
衣料の上半身部１は身頃２と左袖３と右袖４とを備えている。身頃２は前身頃１１と後身頃１２とを有する。前身頃１１と後身頃１２とは、別体であっても、一体に構成されてもよい。左袖３は身頃２の左側に繋がれ、右袖４は身頃２の右側に繋がれている。左袖３と右袖４とは特に、前身頃１１と一体に構成されている。後身頃１２は、着用時に左右方向の内方側へ引っ張る引張力を有した後側領域８を含む。後身頃１２のうち少なくとも後側領域８は、前身頃１１と同じ生地を使用しても前身頃１１（つまり正面）に相当する左右方向の幅よりも幅小であるため着用時に前身頃１１よりも左右方向の内方側へ強い引張力を有する。その他、少なくとも後側領域８は、引張力の強い生地に変更したり生地を複数枚使用したりすることで、前身頃１１よりも引張力を強くすることが可能である。さらに、後身頃１２、特に後側領域８は前身頃１１と同じ生地で構成し、その生地の横地は、前身頃１１では上下方向とし、後身頃１２では左右方向として、前身頃１１よりも引張力を強くすることが可能である。また、後側領域８は、前身頃１１と同じ生地に樹脂を塗布してもよい。この樹脂は弾性の高い種類であり、たとえば、ポリウレタン、シリコーン樹脂、ポリ塩化ビニルを含む。この場合においても、後側領域８は前身頃１１よりも左右方向の引張力を強く設定することが可能である。
後側領域８の左側に左袖３が縫合され、右側に右袖４が縫合されている。なお、前身頃１１と後身頃１２とに対する両袖３、４のこの連繋構造は特に限定されるものではない。左袖３または右袖４は、後身頃１２と一体に構成されてもよいし、前身頃１１とは別体であってもよい。
【００１８】
身頃２は、衣料の上半身部１の上下方向を軸方向とする筒状体である。身頃２は着用者の体幹上部の形状に応じて伸縮し、その体幹上部を覆う。前身頃１１は、着用者の体幹上部の正面に対向する部分であり、その正面のほぼ全体を覆う。後身頃１２は、着用者の体幹上部の背面に対向する部分であり、その背面のほぼ全体を覆う。
【００１９】
後身頃１２には、左袖３との連繋箇所と右袖４との連繋箇所との間に後側領域８（図２の示す第１ドット領域参照。）が設けられている。後側領域８は特に、身頃２の左脇部１３と右脇部１４とを左右方向に最短距離で結ぶ直線よりも上方に位置する。後側領域８は上記のとおり、左右方向に伸縮可能であって、左右方向の引張力が前身頃１１よりも強い。この引張力が、左袖３と後側領域８との連繋箇所を右方へ引っ張り、かつ右袖４と後側領域８との連繋箇所を左方へ引っ張ることにより、着用者の左右の肩甲骨を背骨へ向けて引き寄せる。後身頃１２のうち少なくとも後側領域８では、左右方向において２０％伸長時に伸長力が６０ｃＮ以上である。なお、この伸長力は、好ましくは、左右方向において２０％伸長時に８０ｃＮ以上６００ｃＮ以下であり、更に好ましくは、１００ｃＮ以上４００ｃＮ以下である。
【００２０】
身頃２はまた、襟ぐり１６、裾１７、左抉り部１８、および右抉り部１９を含む。襟ぐり１６は、身頃２の上端部のうち、左右方向における中央付近に配されている。裾１７は襟ぐり１６の下方に配されている。左抉り部１８は、左袖３の背面側を後側領域８に縫合するための部分であり、後側領域８の左側に配されている。左抉り部８１は、後側領域８から左側が抉り取られて形成された境界であり、概ね上下方向へ延びると共に、後身頃１２の左右方向の中心縦線８３へ向かって（図２では右側へ）凹んだ湾曲形状（凹形状）をしている。右抉り部１９は、右袖４の背面側を後側領域８に縫合するための部分であり、後側領域８の右側に配されている。右抉り部１９は、後側領域８から右側が抉り取られて形成された境界であり、概ね上下方向へ延びると共に、後身頃１２の左右方向の中心縦線８３へ向かって（図２では左側へ）凹んだ湾曲形状（凹形状）をしている。
【００２１】
左袖３は、身頃２に連通した筒状体である。この筒状の軸方向のサイズ、すなわち左袖３の長さ（図１では矢印２１の方向におけるサイズ）は自由に設定可能である。第１実施形態において左袖３は長袖である。その他に、本発明における左袖は半袖でも七分袖でもよい。図１〜図４に示されるように、左袖３は左連繋部２２を含む。左連繋部２２は、左袖３のうち、身頃２の左側に繋がる部分であり、特に背面２３（図２の示す第２ドット領域参照。）を左袖３の長さ方向の一端部（身頃２側にある上端部）に含む。より正確には、この背面２３は、図２が示すとおり、身頃２の左脇部１３から左袖３の長さ方向と直交する方向へ延びる左脇基準線（第１仮想線）２５に対し、後側領域８の側に位置する左袖３の部分であり、後身頃１２の後側領域８と隣り合っている。身頃２が標準的な人体の体幹上部を包んでいる場合、左連繋部２２はその人体の左肩の背面から正面までを覆う。
【００２２】
左袖３は左連繋部２２の背面２３に、後側領域８の左抉り部１８に縫合された左縫合部分を有する。左抉り部１８に縫合される前、左縫合部分は左抉り部１８よりも左方向に位置し、左縫合部分は右方向に引き伸ばされなければ左抉り部１８には達しない。具体的には、左抉り部１８の上端１Ａから、その真下に位置する左抉り部の点１Ｂまでの間で左縫合部分が左抉り部１８から分離されると、左縫合部分は、図２が示す破線１Ｃを描く。この破線１Ｃは、全体もしくは左抉り部１８の上端１Ａ付近を除きほぼ全体が左抉り部１８よりも左に位置する。したがって、左縫合部分は右方向に引き伸ばされなければ左抉り部１８には達しない。すなわち、このような寸法設定で左縫合部分が左抉り部１８に縫合されている。このように構成されている結果、図３が示すように、衣料の上半身部１の立体形状において左連繋部２２の延びる方向は標準的な方向よりも後方へ傾き、左袖３は標準的な人体の左腕よりも後方へ向かって延びる。すなわち、左連繋部２２の後方への傾きにより左袖３の立体形状は、標準的な人体の左腕を包むように身頃２から左右方向に延びている仮想的な立体形状（図３の２点鎖線３３参照。）よりも第１角度θ１＞０だけ後方（左斜め後方）へ延びている。
【００２３】
右袖４は、身頃２に連通した筒状体である。この筒状の軸方向のサイズ、すなわち右袖４の長さ（図１では矢印２６の方向におけるサイズ）は自由に設定可能である。第１実施形態において右袖４は長袖である。その他に、本発明における右袖は半袖でも七分袖でもよい。図１〜図４に示されるように、右袖４は右連繋部２７を含む。右連繋部２７は、右袖４のうち、身頃２の右側に繋がる部分であり、特に背面２８（図２の示す第２ドット領域参照。）を右袖４の長さ方向の一端部（身頃２側にある上端部）に含む。より正確には、この背面２８は、図２が示すとおり、身頃２の右脇部１４から右袖４の長さ方向と直交する方向へ延びる右脇基準線（第２仮想線）２９に対し、後側領域８の側に位置する右袖４の部分であり、後身頃１２の後側領域８と隣り合っている。身頃２が標準的な人体の体幹上部を包んでいる場合、右連繋部２７はその人体の右肩の背面から正面までを覆う。
【００２４】
右袖４は右連繋部２７の背面２８に、後側領域８の右抉り部１９に縫合された右縫合部分を有する。右抉り部１９に縫合される前、右縫合部分は右抉り部１９よりも右方向に位置し、左方向に引き伸ばされなければ右抉り部１９には達しない。具体的には、右抉り部１９の上端２Ａから、その真下に位置する右抉り部１９の点２Ｂまでの間で右縫合部分が右抉り部１９から分離されると、右縫合部分は、図２が示す破線２Ｃを描く。この破線２Ｃは、全体もしくは右抉り部１９の上端２Ａ付近を除きほぼ全体が右抉り部１９よりも右に位置する。したがって、右縫合部分は左方向に引き伸ばされなければ右抉り部１９には達しない。すなわち、このような寸法設定で右縫合部分が右抉り部１９に縫合されている。このように構成されている結果、図３が示すように、衣料の上半身部１の立体形状において右連繋部２７の延びる方向は標準的な方向よりも後方へ傾き、右袖４は標準的な人体の右腕よりも後方へ向かって延びる。すなわち、右連繋部２７の後方への傾きにより右袖４の立体形状は、標準的な人体の右腕を包むように身頃２から左右方向に延びている仮想的な立体形状（図３の２点鎖線３４参照。）よりも第２角度θ２＞０だけ後方（右斜め後方）へ延びている。第２角度θ２は第１角度θ１と等しくても異なってもよい。第１角度θ１および第２角度θ２は、着用者に合わせて適宜設定されればよい。
【００２５】
第１実施形態においては、左袖３のうち少なくとも左連繋部２２の背面２３は、左袖３の長さ方向において２０％伸長時に伸長力が４５ｃＮ以上６００ｃＮ以下である強伸長力領域である。さらに、右袖４のうち少なくとも右連繋部２７の背面２８は、右袖４の長さ方向において２０％伸長時に伸長力が４５ｃＮ以上６００ｃＮ以下となる強伸長力領域である。強伸長力領域の伸長力は、好ましくは６０ｃＮ以上５００ｃＮ以下であり、更に好ましくは、８０ｃＮ以上４００ｃＮ以下である。ここでいう「伸長力」とは、幅２．５ｃｍ、長さ（生地把持間隔）１０ｃｍの生地（素材）を定速伸長形引張試験機により、約２０℃（１８℃〜２２℃）の環境下において、引張り速度３０ｃｍ／分で所定方向に２０％伸長させた時の伸長力を意味する。本件では定速伸長形引張試験機として島津製作所製ＡＧＳ−Ｘを採用し、これを用いて測定した伸長力を記載している。
【００２６】
以上のとおり、左連繋部２２と右連繋部２７とが身頃２から斜め後方へ向かって延びているので、両袖３、４の立体形状は、標準的な人体の両腕よりも後方へ向かっている。これにより、後身頃１２の持つ左右方向の強い引張力が着用者の左右の肩甲骨を効果的に引き寄せるので、着用者の左右両方の上腕上部と肩とに対して、後方への高い負荷をかけることが可能となる。したがって、この衣料の上半身部１は、左右の上腕上部が正面中央側へ回るように左右の肩が前方に出る姿勢（図５の２点鎖線３５参照。）を、着用者３０にとらせづらくすることができる。その結果、巻き肩や猫背といった姿勢の悪化を着用者に確実に回避させることができる。この衣料の上半身部１はまた、既に巻き肩や猫背になった人に対しても優れた矯正効果を発揮することが可能である。
【００２７】
しかも、第１実施形態においては、左袖３の左連繋部２２の背面２３と右袖４の右連繋部２７の背面２８とが強伸長力領域であり、特に各袖３、４の長さ方向における２０％伸長時に伸長力が４５ｃＮ以上である。これにより、次のことが新たに知見された。着用者に対して後身頃１２の後側領域８が発揮する左右方向の引張力（左連繋部２２の背面２３を右方へ引っ張り、かつ右連繋部２７の背面２８を左方へ引っ張る力）が、各連繋部２２、２７の背面２３、２８の伸びによって大きくは減殺されずに着用者の左右の肩甲骨を強く引き寄せて、着用者の左右の上腕上部と肩とを着用者の後方へ、かつ背面中央側へと十分に移動させる。
【００２８】
第１実施形態においては左袖３と右袖４とが、襟ぐり１６から比較的離れた状態で身頃２の後側領域８の左右に縫合されている。しかし、本発明における左右の袖はこれらには限定されない。例えば図６が示す左袖４４と右袖４９とのように、襟ぐり１６に対して比較的近づいた状態で身頃２の後側領域８の左右に左右の連繋部４２、４７の背面４３、４８側が縫合されていてもよい。
【００２９】
《第２実施形態》
図７に、本発明の第２実施形態による衣料の上半身部５１の立体形状の正面図を示す。図８に、この立体形状の背面図を示す。図９に、図８の一部拡大図を示す。第２実施形態による衣料の上半身部５１では第１実施形態によるもの１とは異なり、身頃２と左右の袖３、４とが完全に別体である。すなわち、図７、図８、図９が示すように、身頃２は左袖ぐりと右袖ぐりとを備え、これらの左右の袖ぐりで左袖３と右袖４とに縫合されている。
【００３０】
身頃２の左袖ぐりは左の連繋端部であり、正面５３と背面５４とを有する。以下の説明においては、左の連繋端部の正面５３を単に左端部正面５３といい、背面５４を単に左端部背面５４という。左端部正面５３は前身頃１１の上部左側に設けられており、左端部背面５４は後身頃１２の上部左側（後側領域８の左側）に設けられている。
【００３１】
身頃２の右袖ぐりは右の連繋端部であり、正面５６と背面５７とを有する。以下の説明においては、右の連繋端部の正面５６を単に右端部正面５６といい、背面５７を単に右端部背面５７という。右端部正面５６は前身頃１１の上部右側に設けられており、右端部背面５７は後身頃１２の上部右側（後側領域８の右側）に設けられている。
【００３２】
第２実施形態においては、後側領域８が左端部背面５４から右端部背面５７に亘って延びている。言い換えれば、後側領域８が、後側領域８の左側と左袖３との連繋箇所から後側領域８の右側と右袖４との連繋箇所に亘って延びている。
【００３３】
左袖３の立体形状においては、図７、図８に示されるように、身頃２の左側に繋がる左連繋部６０が身頃２に対して後方へ向かって延びている。この左連繋部６０が着用者の左肩の背面から正面までを覆う。左袖３は更に正面６１と背面６２とを有する。第２実施形態においてこれら６１、６２は別体である。その他に、これらが一体に構成されていてもよい。左袖３が筒状を成すように、左袖３の正面６１と背面６２とは前後に連続的に並べられている。左袖３の正面６１と背面６２とは、左袖３の長さ方向の一端部（上端部）で身頃２の左袖ぐりに縫合される一方、左袖３の長さ方向の他端部（下端部）で袖口６５を形成している。左袖３の正面６１には左連繋部６０の正面６７が含まれる。左連繋部６０の正面６７は左袖３の長さ方向の一端部（上端部）の正面側に設けられている。より正確には左連繋部６０の正面６７は、図７が示すとおり、身頃２の左脇部１３から左袖３の長さ方向と直交する方向へ延びる左脇基準線（第１仮想線）２５に対して後側領域８の側に位置し、身頃２の左端部正面５３（前身頃１１の上部左側）と隣り合っている。図８が示すとおり、左袖３の背面６２には左連繋部６０の背面６８が含まれる。左連繋部６０の背面６８は左袖３の長さ方向の一端部（上端部）の背面側に設けられ、身頃２の左端部背面５４（後身頃１２の上部左側）と隣り合っている。
【００３４】
身頃２が標準的な人体の体幹上部を包んでいる場合、左連繋部６０はその人体の左肩の背面から正面までを覆い、身頃２の左側から後身頃１２の左斜め後方へ向かって延びている。これにより、左袖３の立体形状は標準的な人体の左腕よりも後方へ向かって延びている。左連繋部６０の正面６７は前身頃１１に繋がり、左連繋部６０の背面６８は後身頃１２に繋がっている。第２実施形態においては、左連繋部６０の背面６８が左端部背面５４（後側領域８の左側）に縫合されている。左袖３のうち少なくとも左連繋部６０の背面６８は、左袖３の長さ方向において２０％伸長時に伸長力が４５ｃＮ以上６００ｃＮ以下である強伸長力領域を有する。この伸長力は、好ましくは６０ｃＮ以上５００ｃＮ以下であり、更に好ましくは８０ｃＮ以上４００ｃＮ以下である。
【００３５】
右袖４の立体形状においては、図７、図８に示されるように、身頃２の右側に繋がる右連繋部７０が身頃２に対して後方へ向かって延びている。この右連繋部７０が着用者の右肩の背面から正面までを覆う。右袖４は更に正面７１と背面７２とを有する。第２実施形態においてこれら７１、７２は別体である。その他に、これらが一体に構成されていてもよい。右袖４が筒状を成すように、右袖４の正面７１と背面７２とは前後に連続的に並べられている。右袖４の正面７１と背面７２とは、右袖４の長さ方向の一端部（上端部）で身頃２の右袖ぐりに縫合される一方、右袖４の長さ方向の他端部（下端部）で袖口７５を形成している。右袖４の正面７１には右連繋部７０の正面７７が含まれる。右連繋部７０の正面７７は右袖４の長さ方向の一端部（上端部）の正面側に設けられている。より正確には右連繋部７０の正面７７は、図７が示すとおり、身頃２の右脇部１４から右袖４の長さ方向と直交する方向へ延びる右脇基準線（第２仮想線）２９に対して後側領域８の側に位置し、身頃２の右端部正面５６（前身頃１１の上部右側）と隣り合っている。図８が示すとおり、右袖４の背面７２には右連繋部７０の背面７８が含まれる。右連繋部７０の背面７８は右袖４の長さ方向の一端部（上端部）の背面側に設けられ、身頃２の右端部背面５７（後身頃１２の上部右側）と隣り合っている。
【００３６】
身頃２が標準的な人体の体幹上部を包んでいる場合、右連繋部７０はその人体の右肩の背面から正面までを覆い、身頃２の右側から後身頃１２の右斜め後方へ向かって延びている。これにより、右袖４の立体形状は標準的な人体の右腕よりも後方へ向かって延びている。右連繋部７０の正面７７は前身頃１１に繋がり、右連繋部７０の背面７８は後身頃１２に繋がっている。第２実施形態においては、右連繋部７０の背面７８が右端部背面５７（後側領域８の右側）に縫合されている。右袖４のうち少なくとも右連繋部７０の背面７８は、右袖４の長さ方向において２０％伸長時に伸長力が４５ｃＮ以上６００ｃＮ以下である強伸長力領域を有する。この伸長力は、好ましくは６０ｃＮ以上５００ｃＮ以下であり、更に好ましくは８０ｃＮ以上４００ｃＮ以下である。
【００３７】
以上のとおり、左連繋部６０と右連繋部７０とが身頃２から斜め後方へ向かって延びているので、両袖３、４の立体形状は標準的な人体の両腕よりも後方へ向かっている。これにより、第１実施形態と同様に、後身頃１２の持つ左右方向の強い引張力が着用者の左右の肩甲骨を効果的に引き寄せるので、着用者の左右の上腕上部と肩とに対して、後方への高い負荷をかけることが可能となる。したがって、この衣料の上半身部５１は、左右の上腕上部が正面中央側へ回るように左右の肩が前方に出る姿勢を、着用者にとらせづらくすることができる。その結果、巻き肩や猫背といった姿勢の悪化を着用者に確実に回避させることができる。この衣料の上半身部５１はまた、既に巻き肩や猫背になった人に対しても優れた矯正効果を発揮することが可能である。
【００３８】
しかも、第２実施形態においては、左袖３の左連繋部６０の背面６８と右袖４の右連繋部７０の背面７８とが強伸長力領域であり、特に各袖３、４の長さ方向における２０％伸長時に伸長力が４５ｃＮ以上である。これにより、着用者に対して後身頃１２の後側領域８が発揮する左右方向の引張力（左連繋部６０の背面６８を右方へ引っ張り、かつ右連繋部７０の背面７８を左方へ引っ張る力）が、各連繋部６０、７０の背面６８、７８の伸びによって大きくは減殺されずに着用者の左右の肩甲骨を強く引き寄せて、着用者の左右の上腕上部と肩とを着用者の後方へ、かつ背面中央側へと十分に移動させる。
【００３９】
左袖３のうち少なくとも左連繋部６０の背面６８から正面６７までに亘る部分（第２実施形態においては、左袖３の上端部から着用者の左脇の下に対向する部分を除いた部分）が強伸長力領域であり、左袖３の長さ方向において２０％伸長時に伸長力が４５ｃＮ以上６００ｃＮ以下である。この伸長力は、好ましくは６０ｃＮ以上５００ｃＮ以下であり、更に好ましくは８０ｃＮ以上４００ｃＮ以下である。
【００４０】
右袖４のうち少なくとも右連繋部７０の背面７８から右連繋部７０の正面７７までに亘る部分（第２実施形態においては、右袖４の上端部から着用者の右脇の下に対向する部分を除いた部分）が強伸長力領域であり、右袖４の長さ方向において２０％伸長時に伸長力が４５ｃＮ以上６００ｃＮ以下である。この伸長力は、好ましくは６０ｃＮ以上５００ｃＮ以下であり、更に好ましくは８０ｃＮ以上４００ｃＮ以下である。
【００４１】
この構成により、着用者に対して後身頃１２が発揮する引張力が左右の連繋部６０、７０の背面６８、７８の伸びによって大きくは減殺されず、着用者の左右の肩甲骨、更には上腕上部および肩を着用者の後方へ、更には背面中央側へと移動させる力をより強く働かせる。こうして、この衣料の上半身部５１は、着用者の姿勢矯正をより効果的に行うことができる。
【００４２】
図１０に、後身頃１２の後側領域８の左側と左袖３との縫合が解かれた状態の概略図を示す。図１０において、後述の高柔軟性の生地１９１は、説明の便宜上省略されている。衣類の上半身部５１において、左袖３は、図１０に示す状態を経て後側領域８の左側に近接し、これと縫合される。
【００４３】
図９、図１０に示されるように、第２実施形態においては、後身頃１２の後側領域８の左側に左抉り部８１が設けられている。左抉り部８１は左袖３の左連繋部６０の背面６８と縫合されて、左端部背面５４として機能する。左抉り部８１は、後身頃１２から左縁部の上側が抉り取られて形成された境界であり、概ね上下方向へ延びると共に、後身頃１２の左右方向の中心縦線８３へ向かって（図９では右側へ）凹んだ湾曲形状（凹形状）をしている。その形状のうち、中心縦線８３へ向かって最も凹んだ部分に最深部８５を左抉り部８１は有する。
【００４４】
図１１に、後身頃１２の後側領域８の右側と右袖４との縫合が解かれた状態の概略図を示す。図１１において、後述の高柔軟性の生地１９２は、説明の便宜上省略されている。衣類の上半身部５１において、右袖４は、図１１に示す状態を経て後側領域８の右側に近接し、これと縫合される。
【００４５】
図９、図１１に示されるように、第２実施形態においては、後身頃１２の後側領域８の右側に右抉り部１０１が設けられている。右抉り部１０１は右袖４の右連繋部７０の背面７８と縫合されて、右端部背面５７として機能する。右抉り部１０１は、後身頃１２から右縁部の上側が抉り取られて形成された境界であり、概ね上下方向へ延びると共に、後身頃１２の左右方向の中心縦線８３へ向かって（図９では左側へ）凹んだ湾曲形状（凹形状）をしている。その形状のうち、中心縦線８３へ向かって最も凹んだ部分に最深部１０５を右抉り部１０１は有する。
【００４６】
このように、後身頃１２の後側領域８の左側には左抉り部８１が設けられ、右側には右抉り部１０１が設けられるので、後側領域８は前身頃１１よりも左右方向に短くなる。着用者は後側領域８を少なくとも左右方向に伸ばしながら衣料の上半身部５１を着用するので、着用者は後側領域８の引張力をより強く受ける。したがって、着用者の左右の肩甲骨、更には上腕上部と肩とはより強く引き寄せられて、着用者の後方へ、かつ背面中央側へと移動させられる。
【００４７】
図１０に示されるように、第２実施形態においては、左袖３は左連繋部６０の背面６８に、後側領域８の左抉り部８１と縫合される左縫合部分１３２を有する。左抉り部８１と左縫合部分１３２とが縫合される際、左縫合部分１３２は右方向に引き伸ばされない限り左抉り部８１には届かない。具体的には、まず、図１０が示すように、左抉り部８１の上端１３６を通る上下方向の第１直線１Ｌを想定する。第１直線１Ｌは左抉り部８１と更に上端１３６の真下に位置する点８６で交差する。次に、この交差点８６と縫合される左縫合部分１３２の点１３４から左縫合部分１３２の上端１３５までを結ぶ第３直線３Ｌを想定する。第３直線３Ｌから左縫合部分１３２の各点Ｐ１までの右方向における距離ｄ１（右方向を正とし、左方向を負とする。）は、その点Ｐ１と縫合される左抉り部８１の点Ｐ２の第１直線１Ｌからの距離ｄ２よりも短い。したがって、左縫合部分１３２の上端１３５が左抉り部８１の上端１３６と合わされ、左縫合部分１３２の点１３４が左抉り部８１の点８６と合わされたとき、左縫合部分１３２は左抉り部８１よりも左に位置する。左縫合部分１３２が右方向に引き伸ばされることで初めて、左縫合部分１３２の全体が左抉り部８１まで届く。なお、上記の距離ｄ１、ｄ２間の差は、伸ばし縫い等により左抉り部８１と左縫合部分１３２とを適切に縫合できる値であればよい。
【００４８】
図１１に示されるように、第２実施形態においては、右袖４は右連繋部７０の背面７８に、後側領域８の右抉り部１０１と縫合される右縫合部分１５２を有する。右抉り部１０１と右縫合部分１５２とが縫合される際、右縫合部分１５２は左方向に引き伸ばされない限り右抉り部１０１には届かない。具体的には、まず、図１１が示すように、右抉り部１０１の上端１５６を通る上下方向に平行な第２直線２Ｌを想定する。第２直線２Ｌは右抉り部１０１と更に、上端１５６の真下に位置する点１０６で交差する。次に、この交差点１０６と縫合される右縫合部分１５２の点１５４から右縫合部分１５２の上端１５５までを結ぶ第４直線４Ｌを想定する。第４直線４Ｌから右縫合部分１５２の各点Ｐ３までの左方向における距離ｄ３（左方向を正とし、右方向を負とする。）は、その点Ｐ３と縫合される右抉り部１０１の点Ｐ４の第２直線２Ｌからの距離ｄ４よりも短い。したがって、右縫合部分１５２の上端１５５が右抉り部１０１の上端１５６と合わされ、右縫合部分１５２の点１５４が右抉り部１０１の点１０６と合わされたとき、右縫合部分１５２は右抉り部１０１よりも右に位置する。右縫合部分１５２が左方向に引き伸ばされることで初めて右縫合部分１５２の全体が右抉り部１０１まで届く。なお、上記の距離ｄ３、ｄ４間の差は、伸ばし縫い等により右抉り部１０１と右縫合部分１５２とを適切に縫合できる値であればよい。
【００４９】
このように、身頃２と両袖３、４との縫合が解かれた状態では、左袖３の左縫合部分１３２が左抉り部８１よりも短寸であり、右袖４の右縫合部分１５２が右抉り部１０１よりも短寸である。これにより、身頃２と両袖３、４とが縫合されると、左連繋部６０の背面６８と右連繋部７０の背面７８とがいずれも後方へ大きく傾く。こうして、両袖３、４の立体形状を標準的な人体の両腕よりも後方へ向かわせることができる。その結果、この衣料の上半身部５１は、着用者の左右の肩甲骨、更には上腕上部と肩とを後方へ、かつ背面中央側へ、より積極的に引っ張ることができる。この積極的な引っ張りによって、より優れた矯正効果を発揮することができる。
【００５０】
なお、第２実施形態においては、左袖３の左縫合部分１３２と後身頃１２の左抉り部８１との縫合ラインが凸形状である。しかし、本発明における左袖と後身頃との縫合ラインはこの形状に限定されるものではない。左袖と後身頃との縫合が解かれた状態において図１０と同様に、左縫合部分が左抉り部に届かない形状であればよい。たとえば、図１２が示すように、凹形状の左抉り部８１に対し、凹凸を両方含む形状の左縫合部分１７１が左袖３の背面６８に設計されてもよい。図１３が示すように、直線形状の左縫合部分１７２が左袖３の背面６８に設計されてもよい。図１４が示すように、凹形状の左縫合部分１７３が左袖３の背面６８に設計されてもよい。
【００５１】
本発明における右袖の右連繋部の背面には、本発明における左袖の左連繋部の背面と同様の構成を採用することが可能である。第２実施形態においては、右袖４の右連繋部７０の背面７８が左袖３の左連繋部６０の背面６８と、後側領域８に対して左右対称である。
【００５２】
図９が示すように、第２実施形態においては、左抉り部８１の最深部８５が、上下方向における左抉り部８１の中央１８１よりも下方に配置され、右抉り部１０１の最深部１０５が、上下方向における右抉り部１０１の中央１８２よりも下方に配置されている。この構成により、衣料の上半身部５１のうち着用者の肩口に対向する部分が、着用者の背面中央側へはよれにくい。したがって、衣料の上半身部５１は、しわに強く、着用者の運動に対する追従性を高く維持することができる。
【００５３】
第２実施形態においては、図９が示すように、左抉り部８１の最深部８５の深さｖ１が右抉り部１０１の最深部１０５の深さｖ２と等しく、これらの深さｖ１、ｖ２の０．５〜６倍の範囲内に、左抉り部８１の最深部８５と右抉り部１０１の最深部１０５との間における後側領域８の左右方向の長さｖ３が収まる；ｖ１：ｖ２：ｖ３＝１：１：０．５〜６。左抉り部８１の最深部８５の深さｖ１は、この最深部８５と第３仮想線８７との最短距離に相当する。第３仮想線８７は、身頃２の左脇部１３（左抉り部８１の下端部９３）から左肩部９５へ延びる垂直線であり、左右方向における後身頃１２の中心縦線８３と平行である。右抉り部１０１の最深部１０５の深さｖ２は、この最深部１０５と第４仮想線１０７との最短距離に相当する。第４仮想線１０７は、身頃２の右脇部１４（右抉り部１０１の下端部１１３）から右肩部１１５へ延びる垂直線であり、左右方向における後身頃１２の中心縦線８３と平行である。左抉り部８１の最深部８５と右抉り部１０１の最深部１０５との間における後側領域８の左右方向の長さｖ３は、これら最深部８５、１０５の間の最短距離に相当する。
【００５４】
第２実施形態においては、図７、図８、図９に示されるように、左袖３のうち少なくとも着用者の左脇の下に対向する部分に、柔軟性の高い生地１９１が備えられている。右袖４のうち少なくとも着用者の右脇の下に対向する部分に、柔軟性の高い生地１９２が備えられている。左袖３の生地１９１は、左袖３の左連繋部６０の機能を損なわないように、左袖３の長さ方向の一端部の下側に設けられている。右袖４の生地１９２は、右袖４の右連繋部７０の機能を損なわないように、右袖４の長さ方向の一端部の下側に設けられている。この構成により、衣類の上半身部５１は、後身頃１２（後側領域８）の引張力で両袖３、４の連繋部６０、７０の背面６８、７８を着用者の後方へ、かつ背面中央側へ移動させても、着用者に脇の下の痛みを感じさせることがない。
【００５５】
第２実施形態においては、両袖３、４のうち、着用者の左右の脇の下に対向する部分のみに高柔軟性の生地１９１、１９２が備えられている。しかし、本発明における高柔軟性の生地はこれらに限定されるものではない。例えば、図１５が示すような、着用者の左右の脇の下に加え、左右の上腕および前腕の下側に対向する部分に、高柔軟性の生地１９５、１９６が備えられてもよい。
【００５６】
本発明における左袖は、第１実施形態および第２実施形態の左袖３に代えて、次の構成のものであってもよい。左袖のうち、少なくとも左連繋部の背面が、長さ方向において２０％伸長時に伸長力が４５ｃＮ以上（６００ｃＮ以下）である強伸長力領域を有し、左連繋部の正面が、長さ方向に４５ｃＮ以上の伸長力をかけても伸長率が２０％未満である非伸長領域を有する。同様に、本発明における右袖は、第１実施形態および第２実施形態の右袖４に代えて、次の構成のものであってもよい。右袖のうち、少なくとも右連繋部の背面が強伸長力領域を有し、右連繋部の正面が非伸長領域を有する。なお、ここでいう左右の袖には、全く伸びない袖が含まれる。この場合、例えば、各袖の正面と背面とが別体で（すなわち、異なる生地で）構成されてもよい。その他に、各袖の正面と背面とが、強伸長力領域を形成可能に一体に（すなわち、同一の生地で）構成されたうえで、非伸長領域が形成されるように、別の生地等が少なくとも連繋部の正面に設けられてもよい。
【００５７】
本発明における左袖は、第１実施形態または第２実施形態の左袖３に代えて、左袖のうち少なくとも左連繋部の背面が非伸長領域を有するものであってもよい。同様に、本発明における右袖は、第１実施形態または第２実施形態の右袖４に代えて、右袖のうち少なくとも右連繋部の背面が非伸長領域を有するものであってもよい。本発明における左袖は、第１実施形態および第２実施形態の左袖３に代えて、左袖のうち左連繋部の背面から正面までに亘って非伸長領域を有するものであってもよい。同様に、本発明における右袖は、第１実施形態および第２実施形態の右袖４に代えて、右袖のうち右連繋部の背面から正面までに亘って非伸長領域を有するものであってもよい。本発明における左袖は、第１実施形態および第２実施形態の左袖３に代えて、左袖のうち左連繋部の背面が非伸長領域を有し、かつ、左袖のうち少なくとも左連繋部の正面が強伸長力領域を有するものであってもよい。同様に、本発明における右袖は、第１実施形態および第２実施形態の右袖４に代えて、右袖のうち右連繋部の背面が非伸長領域を有し、かつ、右袖のうち少なくとも右連繋部の正面が強伸長力領域を有するものであってもよい。
【００５８】
上述の教示を考慮すれば、本発明が多くの変更形態および変形形態をとり得ることは明らかである。したがって、本発明が、添付の特許請求の範囲内において、本明細書に記載された以外の方法で実施され得ることを理解されたい。
【符号の説明】
【００５９】
１      衣料の上半身部
２      身頃
３      左袖
４      右袖
１２    後身頃
２２    左連繋部
２３    左連繋部の背面
２７    右連繋部
２８    右連繋部の背面
５１    衣料の上半身部
６０    左連繋部
６７    左連繋部の正面
６８    左連繋部の背面
７０    右連繋部
７７    左連繋部の正面
７８    左連繋部の背面
８１    左抉り部
８５    左抉り部の最深部
１０１  右抉り部
１０５  右抉り部の最深部
１３２  左縫合部分
１５２  右縫合部分
１８１  左抉り部の上下方向の中央
１８２  右抉り部の上下方向の中央
１９１  柔軟性の生地
１９２  柔軟性の生地
１９５  柔軟性の生地
１９６  柔軟性の生地
ｖ１    左抉り部における最深部の深さ
ｖ２    右抉り部における最深部の深さ
ｖ３    左抉り部の最深部と右抉り部の最深部との間における後側領域の左右方向の長さ
【要約】
腕が正面中央側へ回るように肩が前方に出る姿勢を着用者にとらせづらくすることのできる衣料の上半身部を提供する。衣料の上半身部（１）では身頃（２）に左袖（３）と右袖（４）とが繋がっている。身頃のうち後身頃（１２）は、左側に左抉り部（１８）を有し、右側に右抉り部（１９）を有し、かつ前身頃（１１）よりも左右方向における引張力が強い。左袖は背面側に、左抉り部に縫合された左縫合部分を有する。左抉り部の上端から、当該上端の真下に位置する左抉り部の点までの間においては、左縫合部分が左抉り部から分離した時に、左縫合部分は左抉り部の対応する縫合箇所に達せず、左抉り部よりも左に位置する。右袖も同様である。【図１】
0006704135.tif 000002
【図２】
0006704135.tif 000003
【図３】
0006704135.tif 000004
【図４】
0006704135.tif 000005
【図５】
0006704135.tif 000006
【図６】
0006704135.tif 000007
【図７】
0006704135.tif 000008
【図８】
0006704135.tif 000009
【図９】
0006704135.tif 000010
【図１０】
0006704135.tif 000011
【図１１】
0006704135.tif 000012
【図１２】
0006704135.tif 000013
【図１３】
0006704135.tif 000014
【図１４】
0006704135.tif 000015
【図１５】
0006704135.tif 000016